(57)【要約】【課題】荷物及びパレットを包装資材で包装するときに、包装部材がコーナーに引っ掛かっている状態を解消させにくくすることができるパレットを提供すること。【解決手段】パレット１０の第１の側壁部２１１に形成されている係止孔３０は、挿入部３１と、挿入部３１のコーナー２２側から延伸している延長部３２とを有する。延長部３２は、挿入部３１からコーナー２２に向かうにつれ、規定方向Ｚにおける第１のデッキボード１１側に徐々に近づくように形成されている。パレット１０の周壁には、第１の側壁部２１１、コーナー２２及び第２の側壁部２１２に跨る第１の突条部３５が設けられている。第１の突条部３５は、係止孔３０から離れるにつれて規定方向Ｚにおける第１のデッキボード１１側に徐々に近づくように形成されている傾斜部位３５１を有する。【選択図】図２
2018177232.tif 000002
【特許請求の範囲】
【請求項１】
一対のデッキボードの周縁に沿って配置されているパレットの周壁は、フォーク挿入孔の開口とコーナーとの間に形成されている係止孔を有する第１の側壁部と、前記コーナーを介して前記第１の側壁部に接続されている第２の側壁部と、を備え、
前記係止孔は、包装資材を挿入可能な挿入部と、前記挿入部の前記コーナー側から延伸していて同挿入部よりも幅狭な延長部と、を有し、
前記各デッキボードが並ぶ方向を規定方向とした場合、前記延長部は、前記挿入部から前記コーナーに向かうにつれて、前記規定方向における前記各デッキボードのうちの一方のデッキボード側に徐々に近づくように形成され、
前記周壁のうち、前記延長部の先端よりも前記規定方向における前記一方のデッキボード側には、前記第１の側壁部、前記コーナー及び前記第２の側壁部に跨る突条部が設けられ、
前記突条部は、前記第１の側壁部に設けられている一端から他端に向かうにつれて、前記規定方向における前記一方のデッキボード側に徐々に近づくように形成されている傾斜部位を有する
パレット。
【請求項２】
前記突条部は、前記一方のデッキボードのデッキ面に沿う方向に伸びるように前記第２の側壁部に設けられており、且つ、前記傾斜部位の前記他端に接続されている水平部位を有する
請求項１に記載のパレット。
【請求項３】
前記突条部を第１の突条部とした場合、
前記周壁のうち、前記第１の突条部よりも前記規定方向における前記各デッキボードのうちの他方のデッキボード側には、前記第１の側壁部、前記コーナー及び前記第２の側壁部に跨る第２の突条部が設けられており、
前記第２の突条部の前記第１の側壁部に設けられている端は、前記係止孔の前記延長部の先端よりも前記規定方向における前記他方のデッキボード側に位置している
請求項１又は請求項２に記載のパレット。
【請求項４】
前記第２の突条部は、前記第１の側壁部に設けられている一端から他端に向かうにつれて、前記規定方向における前記一方のデッキボード側に徐々に近づくように形成されている傾斜部位を有する
請求項３に記載のパレット。
【発明の詳細な説明】
【技術分野】
【０００１】
本発明は、ストレッチフィルムなどの包装資材を係止するための係止孔が側壁に形成されているパレットに関する。
【背景技術】
【０００２】
特許文献１には、四方差しのパレットの一例が記載されている。こうしたパレットは、矩形状をなす一対のデッキボードと、同各デッキボードの周縁に沿って配置されている周壁とを備えている。このようなパレットのデッキボード上に載置された荷物をパレットとともに包装する際には、ストレッチフィルムなどの包装資材がパレットとともに荷物に巻き付けられることとなる。
【０００３】
特許文献１に記載のパレットには、上記周壁のうち、フォーク挿入孔の開口とコーナーとの間の部位、すなわち隅桁の外壁に、ストレッチフィルムを係止するための係止孔が設けられている。一対のデッキボードのうち、荷物が載置される側のデッキボードを上側デッキボードとした場合、係止孔は、ストレッチフィルムの結び目を挿入可能な挿入部と、挿入部の上側デッキボード側から延伸している延長部とを有している。延長部は、挿入部よりも幅狭となっている。そして、上側デッキボード上に載置された荷物をパレットとともに包装する際には、ストレッチフィルムの結び目が係止孔の挿入部を介してパレット内に収容される。続いて、この状態で当該結び目を上側デッキボード側に移動させることで、当該結び目を係止孔の延長部に係止させることができる。このように係止孔に当該結び目が係止されているストレッチフィルムをパレット及び荷物に巻き付けることで、荷物をパレットとともに包装することができる。
【先行技術文献】
【特許文献】
【０００４】
【特許文献１】特開２００９−１２８６４号公報
【発明の概要】
【発明が解決しようとする課題】
【０００５】
荷物をパレットとともに包装する際に、パレットと荷物との緊締力を十分に確保したり、荷物の変形を抑制したりするためには、ストレッチフィルムなどの包装資材を係止孔に係止させたあとに、包装資材をパレットのコーナーに引っ掛ける必要がある。
【０００６】
しかしながら、包装資材で荷物をパレットとともに包装する際には、一部分が係止孔に係止されている包装資材には、上下方向における荷物側（上方側）に引っ張られるような力が付与される。その結果、当該力によってコーナーに包装資材が引っ掛かっている状態が解消されることがある。
【０００７】
すなわち、特許文献１に記載のパレットにあっては、包装部材がコーナーに引っ掛かっている状態を解消させにくくするという点で改善の余地がある。
【課題を解決するための手段】
【０００８】
上記課題を解決するためのパレットは、一対のデッキボードの周縁に沿って配置されているパレットの周壁は、フォーク挿入孔の開口とコーナーとの間に形成されている係止孔を有する第１の側壁部と、前記コーナーを介して前記第１の側壁部に接続されている第２の側壁部と、を備えている。前記係止孔は、包装資材を挿入可能な挿入部と、前記挿入部の前記コーナー側から延伸していて同挿入部よりも幅狭な延長部と、を有している。また、前記各デッキボードが並ぶ方向を規定方向とした場合、前記延長部は、前記挿入部から前記コーナーに向かうにつれて、前記規定方向における前記各デッキボードのうちの一方のデッキボード側に徐々に近づくように形成されている。また、前記周壁のうち、前記延長部の先端よりも前記規定方向における前記一方のデッキボード側には、前記第１の側壁部、前記コーナー及び前記第２の側壁部に跨る突条部が設けられている。そして、前記突条部は、前記第１の側壁部に設けられている一端から他端に向かうにつれて、前記規定方向における前記一方のデッキボード側に徐々に近づくように形成されている傾斜部位を有している。
【０００９】
上記構成によれば、係止孔の延長部は、挿入部に接続されている端である基端からコーナー側の端である先端に向かうにつれて上記規定方向における上記一方のデッキボード側に徐々に近づくように形成されている。すなわち、挿入部を介してパレット内に収容された包装資材の一部分が係止される延長部が、コーナーに向けて伸びている。そのため、一部分が延長部に係止されている包装資材をコーナーに引っ掛けやすい。
【００１０】
また、係止孔を挟んだフォーク挿入孔の開口の反対側には、突条部が設けられている。この突条部は、第１の側壁部、コーナー及び第２の側壁部に跨っており、同突条部の傾斜部位は、一端から他端に向かうにつれ、すなわち係止孔から離れるにつれ、上記規定方向における上記一方のデッキボード側に徐々に近づくように構成されている。すなわち、傾斜部位の延伸方向は、一部分が延長部に係止されている包装資材をパレット及び荷物に巻き付け始めた際における同包装資材の巻き付け方向に近似することとなる。そのため、一部分が延長部に係止されている包装資材をコーナーに引っ掛けた際に、当該状態が解消されることを傾斜部位によって抑制することができる。
【００１１】
したがって、上記一方のデッキボード上に載置されている荷物及びパレットを包装資材で包装するときに、包装部材がコーナーに引っ掛かっている状態を解消させにくくすることができる。
【００１２】
また、上記パレットにおいて、前記突条部は、前記一方のデッキボードのデッキ面に沿う方向に伸びるように前記第２の側壁部に設けられており、且つ、前記傾斜部位の前記他端に接続されている水平部位を有することが好ましい。この構成によれば、突条部に水平部位を設けることによって、パレットに巻き付けられている包装資材が捲れ上がってしまうことを抑制できる。
【００１３】
また、前記突条部を第１の突条部とした場合、前記周壁のうち、前記第１の突条部よりも前記規定方向における前記各デッキボードのうちの他方のデッキボード側に、前記第１の側壁部、前記コーナー及び前記第２の側壁部に跨る第２の突条部を設けるようにしてもよい。この場合、前記第２の突条部の前記第１の側壁部に設けられている端を、前記係止孔の前記延長部の先端よりも前記規定方向における前記他方のデッキボード側に配置することが好ましい。この構成によれば、１つのコーナーに複数の突条部を設けることにより、パレットに巻き付けられている包装資材の捲れ上がりの抑制効果を高めることができる。
【００１４】
また、前記第２の突条部は、前記第１の側壁部に設けられている一端から他端に向かうにつれて、前記規定方向における前記一方のデッキボード側に徐々に近づくように形成されている傾斜部位を有することが好ましい。
【００１５】
上記構成によれば、１つのコーナーに対して複数の傾斜部位を設けることができる。このように１つのコーナーに対して複数の傾斜部位を設けることにより、一部分が延長部に係止されている包装資材を同コーナーに引っ掛けた際に、包装資材が同コーナーに引っ掛かっている状態が解消されることの抑制効果を高めることができる。
【発明の効果】
【００１６】
上記構成のパレットによれば、デッキボード上に載置されている荷物及びパレットを包装資材で包装するときに、包装部材がコーナーに引っ掛かっている状態を解消させにくくすることができる。
【図面の簡単な説明】
【００１７】
【図１】パレットの一実施形態を示す斜視図。
【図２】同パレットの一部分を拡大した斜視図。
【図３】同パレットの一部分を拡大した側面図。
【図４】同パレットにおいて、各突条部の形状を示す模式図。
【図５】係止孔を介して同パレット内にストレッチフィルムの結び目が収容される様子を示す作用図。
【図６】コーナーにストレッチフィルムが引っ掛けられている様子を示す作用図。
【図７】同パレットが複数並んで配置されている様子を示す側面図。
【図８】別の実施形態のパレットにおいて、各突条部の形状を示す模式図。
【図９】別の実施形態のパレットにおいて、各突条部の形状を示す模式図。
【図１０】別の実施形態のパレットに示す平面図。
【発明を実施するための形態】
【００１８】
以下、パレットの一実施形態を図１〜図７に従って説明する。
図１に示すように、本実施形態のパレット１０は、四方差しのパレットであり、平面視略四角形状をなす一対のデッキボード１１，１２と、両デッキボード１１，１２を連結する複数の桁とを備えている。複数の桁として、図示しない中央桁と、４つの隅桁１３と、４つの中間桁１４とを有している。中央桁は、第１のデッキボード１１の中央部分と第２のデッキボード１２の中央部分とを連結している。隅桁１３は、第１のデッキボード１１の隅と第２のデッキボード１２の隅とを連結している。中間桁１４は、隅桁１３よりも中央側に配置されているとともに、第１のデッキボード１１の辺と第２のデッキボード１２の辺とを連結している。すなわち、各隅桁１３の外側壁１３１と、各中間桁１４の外側壁１４１とによって、一対のデッキボード１１，１２の周縁に沿って配置されているパレット１０の周壁２０が構成されている。
【００１９】
パレット１０の周壁２０は、第１のデッキボード１１のデッキ面１１１に沿う方向に伸びている４つの側壁２１と、側壁２１の端同士を接続している４つのコーナー２２とを有している。各側壁２１には、一対のフォーク挿入孔１５の開口１５１がそれぞれ形成されている。
【００２０】
また、図１及び図２に示すように、各隅桁１３の外側壁１３１、すなわち側壁２１のうちの開口１５１よりもコーナー２２側には、ストレッチフィルムなどの包装資材の一部分を係止するための係止孔３０がそれぞれ形成されている。すなわち、側壁２１のうち、開口１５１とコーナー２２との間に位置しており、且つ、係止孔３０が形成されている部分を、第１の側壁部２１１という。そして、側壁２１のうち、コーナー２２を介して第１の側壁部２１１に接続されている部分を、第２の側壁部２１２という。つまり、側壁２１の一端部が第１の側壁部２１１であり、側壁２１の他端部が第２の側壁部２１２である。
【００２１】
図２及び図３に示すように、係止孔３０には、ストレッチフィルムの結び目などのような包装資材の一部分を挿入可能な挿入部３１と、挿入部３１のコーナー２２側（図３では左側）から延伸している延長部３２とが設けられている。各デッキボード１１，１２が並ぶ方向を規定方向Ｚ（図３における上下方向）というものとする。この場合、延長部３２は、挿入部３１からコーナー２２に向かうにつれて、規定方向Ｚにおける第１のデッキボード１１側に徐々に近づくように形成されている。すなわち、延長部３２の延伸方向は、第１の側壁部２１１の延伸方向に対して傾斜している。
【００２２】
なお、本実施形態では、挿入部３１は円孔である。そして、第１の側壁部２１１に沿う方向のうちの延長部３２の中心軸線Ｌと直交する方向における延長部３２の長さを延長部３２の幅とした場合、延長部３２の幅寸法は、挿入部３１の直径寸法よりも小さい。また、延長部３２は、挿入部３１に接続されている端である基端からコーナー２２側の端である先端３２ａに向かうにつれて徐々に幅狭となるように構成されている。また、第１の側壁部２１１には、係止孔３０の周縁に沿って形成されている環状の肉厚部３３が設けられている。
【００２３】
図３及び図４に示すように、パレット１０の周壁２０には、係止孔３０を挟んだ開口１５１の反対側に一対の突条部３５，３６が設けられている。各突条部３５，３６のうち、図中上側である規定方向Ｚにおける第１のデッキボード１１側に位置する突条部を第１の突条部３５といい、図中下側である規定方向Ｚにおける第２のデッキボード１２側に位置する突条部を第２の突条部３６というものとする。各突条部３５，３６は、第１の側壁部２１１、コーナー２２、及び、第２の側壁部２１２に跨るようにそれぞれ構成されている。
【００２４】
図４に示すように、第１の突条部３５は、係止孔３０の延長部３２の先端３２ａよりも規定方向における第１のデッキボード１１側（すなわち、図中上側）に配置されている。この第１の突条部３５は、第１の側壁部２１１に設けられている第１端３５１ａから第１端３５１ａの反対側の端である第２端３５１ｂに向かうにつれて、規定方向Ｚにおける第１のデッキボード１１側に徐々に近づくように形成されている傾斜部位３５１と、傾斜部位３５１の第２端３５１ｂに接続されている水平部位３５２とを有している。傾斜部位３５１の延伸方向は、係止孔３０の延長部３２の延伸方向と同じである。そして、傾斜部位３５１の第２端３５１ｂは、第２の側壁部２１２とコーナー２２との境界に配置されている。水平部位３５２は、第２の側壁部２１２に設けられているとともに、第１のデッキボード１１のデッキ面１１１に沿う方向に伸びている。
【００２５】
図４に示すように、第２の突条部３６は、第１の突条部３５と平行となるように構成されている。すなわち、第２の突条部３６は、第１の側壁部２１１に設けられている第１端３６１ａから第１端３６１ａの反対側の端である第２端３６１ｂに向かうにつれて、規定方向Ｚにおける第１のデッキボード１１側に徐々に近づくように形成されている傾斜部位３６１と、傾斜部位３６１の第２端３６１ｂに接続されている水平部位３６２とを有している。傾斜部位３６１の第１端３６１ａは、係止孔３０の延長部３２の先端３２ａよりも規定方向Ｚにおける第２のデッキボード１２側（すなわち、図中下側）に配置されている。そして、傾斜部位３６１の第２端３６１ｂは、第２の側壁部２１２とコーナー２２との境界に配置されている。水平部位３６２は、第２の側壁部２１２に設けられているとともに、第１のデッキボード１１のデッキ面１１１に沿う方向に伸びている。
【００２６】
ちなみに、図１及び図２に示すように、各デッキボード１１，１２の周縁には、環状をなす鍔部１１２，１２２がそれぞれ設けられている。そして、図３に示すように、各突条部３５，３６の突出量は、各デッキボード１１，１２の鍔部１１２，１２２の突出量と同等である、又は、鍔部１１２，１２２の突出量よりも僅かに少ない。同様に、係止孔３０の周縁に設けられている肉厚部３３の突出量もまた、各デッキボード１１，１２の鍔部１１２，１２２の突出量と同等である、又は、鍔部１１２，１２２の突出量よりも僅かに少ない。
【００２７】
次に、図５〜図７を参照し、包装資材の一例であるストレッチフィルム５０によって、第１のデッキボード１１のデッキ面１１１上に載置されている荷物１００をパレット１０とともに梱包する際の作用を効果とともに説明する。
【００２８】
第１のデッキボード１１のデッキ面１１１に載置されている荷物１００をパレット１０とともに包装する際、まずはじめに、図５に示すように、ストレッチフィルム５０の結び目５１が、係止孔３０の挿入部３１を介してパレット１０内に収容される。そして、ストレッチフィルム５０がコーナー２２側に引っ張られると、図５の白抜き矢印で示す方向に結び目５１が変位する。すると、挿入部３１よりもコーナー２２側に位置する延長部３２で結び目５１が係止される。この状態でストレッチフィルム５０がコーナー２２に引っ掛けられる。なお、延長部３２は先端に向かうにつれて幅狭となるように構成されているため、ストレッチフィルム５０の結び目５１を延長部３２に係止させやすくなっている。
【００２９】
本実施形態では、延長部３２が、挿入部３１からコーナー２２側に延伸している。そのため、結び目５１が係止孔３０に係止されているストレッチフィルム５０をコーナー２２に引っ掛けやすい。
【００３０】
また、コーナー２２周辺には、複数の突条部３５，３６が設けられている。これら各突条部３５，３６は、第１の側壁部２１１及びコーナー２２に跨っている傾斜部位３５１，３６１をそれぞれ有している。そして、これら傾斜部位３５１，３６１は、係止孔３０から離れるにつれ、荷物１００が載置されている第１のデッキボード１１側に徐々に近づくように延伸している。このような傾斜部位３５１，３６１の延伸方向は、図６に示すように、結び目５１が係止孔３０に係止されているストレッチフィルム５０をパレット１０及び荷物１００に巻き付け始めた際におけるストレッチフィルム５０の巻き付け方向に近似している。そのため、係止孔３０に係止されているストレッチフィルム５０をコーナー２２に引っ掛けた際に、ストレッチフィルム５０がコーナー２２に引っ掛かっている状態が解消されることを、傾斜部位３５１，３６１によって抑制することができる。したがって、荷物１００及びパレット１０をストレッチフィルム５０で包装するときに、ストレッチフィルム５０がコーナー２２に引っ掛かっている状態を解消させにくくすることができる。
【００３１】
本実施形態では、１つのコーナー２２に対して２つの傾斜部位３５１，３６１が設けられている。そのため、１つのコーナー２２に対して１つの傾斜部位３５１のみが設けられている場合、すなわち第２の突条部３６が設けられていない場合と比較し、ストレッチフィルム５０がコーナー２２に引っ掛かっている状態の解消の抑制効果を高めることができる。
【００３２】
なお、ストレッチフィルム５０で荷物１００及びパレット１０を包装する際、パレット１０にはストレッチフィルム５０が何重にも巻き付けられることとなる。このとき、各突条部３５，３６が水平部位３５２，３６２を有していない場合、荷物１００及びパレット１０を包装しているストレッチフィルム５０のうち、パレット１０に巻き付けられている部分が捲れ上がってしまうおそれがある。特に、パレット１０にストレッチフィルム５０が巻き付けられている状態で、フォーク挿入孔１５にフォークリフトなどのフォークが挿入されてパレット１０が持ち上げられた場合、ストレッチフィルム５０に対して第１のデッキボード１１側（すなわち、上方）への力が加わる。その結果、パレット１０に巻き付けられているストレッチフィルム５０が捲れ上がりやすい。
【００３３】
この点、本実施形態のパレット１０の各突条部３５，３６には、傾斜部位３５１，３６１に接続されている水平部位３５２，３６２がそれぞれ設けられている。そのため、パレット１０に巻き付けられているストレッチフィルム５０を捲れ上がりにくくすることができる。
【００３４】
ここで、荷物１００とともにストレッチフィルム５０によって包装されているパレット１０が並べられることがある。この場合、図７に示すように、互いに隣り合う各パレット１０（１０Ａ，１０Ｂ）のうち、図中右側に配置されている第１のパレット１０Ａの第２の側壁部２１２と、図中左側に配置されている第２のパレット１０Ｂの第１の側壁部２１１とが対向し合うこととなる。本実施形態では、各突条部３５，３６の第１の側壁部２１１に設けられている部分と、各突条部３５，３６の第２の側壁部２１２に設けられている部分とでは、規定方向Ｚにおける位置が互いに相違している。そのため、第１のパレット１０Ａの突条部３５，３６と、第２のパレット１０Ｂの突条部３５，３６とが互いに接触することを回避できる。すなわち、第１のパレット１０Ａの突条部３５，３６の先端に接触しているストレッチフィルム５０が、第２のパレット１０Ｂの突条部３５，３６の先端に接触しているストレッチフィルム５０に接触しない。その結果、各パレット１０を並べて配置した際に、ストレッチフィルム５０が破損してしまうことを抑制できる。
【００３５】
また、荷物１００及びパレット１０をストレッチフィルム５０で包装している場合、第１の側壁部２１１のうち、係止孔３０の近傍には、大きな負荷が入力されることがある。本実施形態では、第１の側壁部２１１に係止孔３０の周縁に沿って肉厚部３３を設けることで、第１の側壁部２１１の剛性を高めている。その結果、結び目５１を係止孔３０に係止させていることに起因する負荷が入力されているときにおける第１の側壁部２１１の変形を抑制することができる。
【００３６】
なお、上記実施形態は以下のような別の実施形態に変更してもよい。
・上記実施形態のパレット１０には、４つの側壁２１の全てに係止孔３０が形成されている。しかし、パレット１０にあっては、４つの側壁２１のうちの一部の側壁２１には係止孔３０が形成されているのであれば、残りの側壁２１には係止孔３０が設けられていなくてもよい。
【００３７】
・突条部３５，３６は、図８に示すように、第２の側壁部２１２に設けられている水平部位３５２，３６２と、第１の側壁部２１１に設けられている他の水平部位３５３，３６３との双方を有する構成であってもよい。この場合、第２の突条部３６の他の水平部位３６３を、第１の突条部３５の他の水平部位３５３よりも短くしてもよい。
【００３８】
なお、突条部３５，３６は、他の水平部位３５３，３６３を有しているのであれば、水平部位３５２，３６２を有していない構成であってもよい。
・突条部３５，３６は、傾斜部位３５１，３６１を有しているのであれば、水平部位３５２，３６２を有していなくてもよい。この場合、側壁２１の延伸方向に伸びる別の突条部を、側壁２１に対して突条部３５，３６とは別に設けてもよい。
【００３９】
・上記実施形態のパレット１０では、第２の突条部３６は、第１の突条部３５と平行となるように構成されている。しかし、第２の突条部は、第１の側壁部、コーナー２２及び第２の側壁部２１２に跨っているのであれば、第１の突条部３５とは平行でなくてもよい。例えば、図９に示すように、第２の突条部３６Ａは、その全体が第１のデッキボード１１のデッキ面１１１に沿う方向に延伸する構成であってもよい。
【００４０】
・第２の突条部３６を省略してもよい。
・第１の突条部３５は、その第２端３５１ｂが第２の側壁部２１２に設けられている構成であってもよい。この場合、第２の突条部３６もまた、その第２端３６１ｂが第２の側壁部２１２に設けられている構成であってもよい。
【００４１】
・図１０に示すように、一つの側壁２１に対して２つの係止孔３０，３０Ｂを設けてもよい。この場合、側壁２１のうち、一対のフォーク挿入孔の開口１５１よりも外側の各々に、係止孔３０，３０Ｂが設けられることとなる。つまり、側壁２１の両端部が、第１の側壁部２１１，２１１Ｂとしてそれぞれ機能することとなる。この場合、パレット１０の周壁２０には、係止孔３０に対応する突条部３５，３６と、係止孔３０Ｂに対応する突条部３５Ｂ，３６Ｂをそれぞれ設けることが好ましい。
【００４２】
・パレット１０を構成する一対のデッキボード１１，１２は、平面視多角形状をなすボードであれば、平面視四角形状以外の他の任意の形状であってもよい。この場合であっても、パレット１０の周壁を、第１の側壁部と、コーナーを介して第１の側壁部に接続されている第２の側壁部を有する構成とすることができる。
【００４３】
・パレット１０は、二方差しのパレットであってもよい。
次に、上記実施形態及び別の実施形態から把握できる技術的思想を以下に追記する。
（イ）前記延長部は、先端に向かうにつれて幅狭となるように形成されていることが好ましい。この構成によれば、包装資材の一部分を延長部によって係止しやすくなる。
【００４４】
（ロ）前記第２の突条部は、前記第１の突条部と平行となるように形成されていることが好ましい。
（ハ）前記第１の側壁部には、前記係止孔の周縁に沿う環状の肉厚部が設けられていることが好ましい。この構成によれば、包装資材の一部分を延長部に係止させた状態で当該包装資材をパレット及び荷物に巻き付ける際に第１の側壁部に加わる荷重によって、同第１の側壁部が破損してしまうことを抑制できる。
【符号の説明】
【００４５】
１０，１０Ａ，１０Ｂ…パレット、１１…第１のデッキボード、１１１…デッキ面、１２…第２のデッキボード、２０…周壁、２１１，２１１Ｂ…第１の側壁部、２１２…第２の側壁部、２２…コーナー、１５…フォーク挿入孔、１５１…開口、３０，３０Ｂ…係止孔、３１…挿入部、３２…延長部、３３…肉厚部、３５，３５Ｂ，３６，３６Ａ，３６Ｂ…突条部、３５１，３６１…傾斜部位、３５１ａ，３６１ａ…第１端、３５１ｂ，３６１ｂ…第２端、３５２，３６３…水平部位、５０…包装資材の一例であるストレッチフィルム、Ｚ…規定方向。
【図１】
2018177232.tif 000003
【図２】
2018177232.tif 000004
【図３】
2018177232.tif 000005
【図４】
2018177232.tif 000006
【図５】
2018177232.tif 000007
【図６】
2018177232.tif 000008
【図７】
2018177232.tif 000009
【図８】
2018177232.tif 000010
【図９】
2018177232.tif 000011
【図１０】
2018177232.tif 000012